(57)【要約】【課題】  従来、前面パネルを開いた状態に保持するために、前面パネルの裏面の上面両側にある回動用アームに凸部を設けている。この凸部が本体と当接することで、前面パネルを開いた状態に保持することが出来る。現在、前面パネルは、オープンパネルと吸込みグリルから構成されている。その為、現在の前面パネルは、従来よりも重くなっている。そのため、従来の方法では、前面パネルを開いた状態で保持することが出来ない問題があった。【解決手段】  本発明は、上記問題を解決する為に、本体の前面吸込口を右前面吸込口と左前面吸込口とに区画する桟に、一端を回動可能に軸支された支持部材を設けた。この支持部材の他端が、前面パネルの裏面にある係止部に係止されることで、前面パネルを開いた状態に保持することができる。【選択図】  図２
2012141077.tif 000002
【特許請求の範囲】
【請求項１】
少なくとも前面吸込口と吹出口とを有する本体と、
同本体の前面に回動自在に取付けられた前面パネルとを備えた空気調和機であって、
前記前面吸込口は、桟によって右前面吸込口と左前面吸込口に区画されており、
前記桟の前記前面パネルと対向する面には、一端を回動可能に軸支された支持部材が設けられ、
前記前面パネルの裏面には、前記支持部材の他端を係止する係止部が設けられていることを特徴とする空気調和機。
【請求項２】
前記右前面吸込口と前記左前面吸込口には、フィルタが各々備えられ、
各々の前記フィルタを清掃するフィルタ清掃ユニットが、前記桟に設置されていることを特徴とする請求項１に記載の空気調和機。
【請求項３】
前記支持部材は、一端が前記桟の上側に軸支され、他端が前記桟の下側に配置されていることを特徴とする請求項１に記載の空気調和機。
【発明の詳細な説明】
【技術分野】
【０００１】
本発明は、前面パネルを開いた状態に保持することで、フィルタを容易に取り出すことのできる空気調和機に関するものである。
【背景技術】
【０００２】
従来、前面パネルを開けた状態で保持するものとして、文献１に示すようなものがある。この文献１に開示されている空気調和機では、図７に示すように、前面パネル２の上部両側には回動用アームを有し、本体１の上面両側には回動用アームを回動自在に軸支する軸受け部を有している。この回動用アームと軸受け部を組み合わせることで前面パネル２を本体１に回動自在に取付けることができる。また、回動用アームには凸部１９が設けられ、この凸部１９を本体１前面と当接させることで、前面パネル２を開いた状態に保持することができる。
【先行技術文献】
【特許文献】
【０００３】
【特許文献１】特開２０００−１３０７９６号公報
【発明の概要】
【発明が解決しようとする課題】
【０００４】
近年の空気調和機の前面パネルは意匠性を良くするために、空気を本体内に取り込む吸込グリルと、同吸込グリルの前面に取付けられたオープンパネルとから構成されている。また、吸込グリルには、オープンパネルの開閉を行う駆動機構を備えているため、前面パネルは、従来の前面パネルよりも重くなっている。その為、文献１に開示されている前面パネルの保持方法では、重さのある前面パネルを開いた状態で保持することが出来ない問題があった。
【０００５】
そこで、本発明は、従来の前面パネルよりも重くなった前面パネルを開いた状態で保持することのできる空気調和機を提供することを目的とする。
【課題を解決するための手段】
【０００６】
上記目的を達成する為に、本発明の空気調和機は、少なくとも前面吸込口と吹出口とを有する本体と、同本体の前面に回動自在に取付けられた前面パネルとを備えた空気調和機であって、前記前面吸込口は、桟によって右前面吸込口と左前面吸込口に区画されており、前記桟の前記前面パネルと対向する面には、一端を回動可能に軸支された支持部材が設けられ、前記前面パネルの裏面には、前記支持部材の他端を係止する係止部が設けられている。前記右前面吸込口と前記左前面吸込口には、フィルタが各々備えられ、各々の前記フィルタを清掃するフィルタ清掃ユニットが、前記桟に設置されている。さらに、前記支持部材は、一端が前記桟の上側に軸支され、他端が前記桟の下側に配置されている。
【発明の効果】
【０００７】
本発明の空気調和機においては、本体に設けた支持部材を前面パネルの係止部に係止させることで、重い前面パネルであっても安定に開いた状態に保持することが出来る。また、支持部材が軸支されている桟にはフィルタ清掃ユニットが設置される為、フィルタ清掃ユニットがない場合よりも幅広となり、支持部材を軸支できるだけのスペースを確保することができる。さらに、支持部材の上端を桟の上側に軸支することで、前面パネルを高い位置に保持することができ、フィルタの取出しが容易となる。また、前面パネルが閉じている時、支持部材の他端が下側に来るので、使用者の手が届きやすくなり、前記支持部材を容易に起立できる。
【図面の簡単な説明】
【０００８】
【図１】本実施例の空気調和機を運転している状態を示す斜視図である。
【図２】本実施例の空気調和機の前面パネルを開いている状態を示す斜視図である。
【図３】本実施例の空気調和機の分解斜視図である。
【図４】本実施例の空気調和機の前面パネルを背面側から見た斜視図である。
【図５】本実施例の空気調和機の支持部材が前面パネルを保持した状態を示す斜視図である。
【図６】本実施例の空気調和機の支持部材が桟に接触している状態を示す斜視図である。
【図７】従来発明における空気調和機の斜視図である。
【発明を実施するための形態】
【０００９】
本発明の空気調和機では、前面吸込口に、右前面吸込口と左前面吸込口に区画する桟を備え、前記桟上に回動自在に設置した支持部材により前面パネルを支持することで、前面パネルを開いた状態に保持するものである。
【００１０】
以下、本発明の実施の形態における空気調和機について、図１ないし図６を基に説明する。
【００１１】
図１および図２に示すように、本体１の前面には、前面パネル２が開閉自在に取付けられている。この前面パネル２は、吸込グリル３とオープンパネル４から構成されている。吸込グリル３は、本体１の前面に回動自在に取付けられおり、本体１内に空気を流入させる為、後述する前面上部の吸込口９を開閉する。オープンパネル４は、吸込グリル３の前面に開閉自在に取付けられおり、本体１の前面の意匠性を良くするためにフラットな形状となっている。本実施例の空気調和機の運転時には、オープンパネル４を開くことで、吸込グリル３から空気を吸い込むことができる。また、本実施例の空気調和機の停止時には、オープンパネル４を閉じることで吸込グリル３が閉じられ、本体１内にチリやホコリが侵入するのを防ぐことができる。
【００１２】
また、本体１は、前面上部と上面に吸込口９を形成し、前面下部から下面にかけて吹出口７を形成している。前面上部の吸込口９は、桟１５によって右前面吸込口と左前面吸込口に区画されており、この右前面吸込口と左前面吸込口には、フィルタ６が備えられている。このフィルタ６は、空気中のチリやホコリなどを除去するためのものである。
【００１３】
前記桟１５には、前面パネル２を開いた状態に保持する為に、前面パネル２を支持する支持部材１４が設けられている。この支持部材１４は、一端が桟１５の上側に回動自在に軸支されている。これにより、前面パネル２を高い位置に保持することができ、フィルタ６の取出しが容易となる。また、前面パネル２が閉じている時、支持部材１４の他端が下側に来るので、使用者の手が届きやすくなり、支持部材１４を容易に起立できる。より詳細には、図５に示すように、支持部材１４は、長尺の棒状に形成され、桟１５の前面パネル２と対向する面に一端が回動自在に軸支されている。支持部材１４を回動して、その他端を前面パネル２の裏面に形成された係止部１３に係止することで、前面パネル２を開いた状態に保持することができる。なお、本実施例では、支持部材１４は桟１５の前面パネル２と対向する面に軸支されているが、これに限定したものではなく、桟１５上であれば良い。図６に示すように、支持部材１４の他端も桟１５上に位置させることで前面パネル２を閉じる時に邪魔になるようなことはない。また、図２に示すように、本体１前面の右端の下部に表示部５が設けている。この表示部５は、運転状態を使用者に知らせるためのものである。
【００１４】
図４に示すように、前面パネル２を構成する吸込グリル３の上部両側には、本体１に係止する為の回動軸部１１を有している。この回動軸部１１は、本体１の上面両側にある回動軸受け部１２に軸支されることで、前面パネル２は回動自在に取付けられる。また、吸込グリル３の裏面の中央には、支持部材１４の他端を係止する係止部１３が形成されている。支持部材１４の他端を係止部１３に係止することで、前面パネル２を開いた状態に保持することができる。
【００１５】
図５に示すように、本体１は、フィルタ清掃ユニット８を取付ける為のフィルタ清掃ユニット取付部１７を有する。このフィルタ清掃ユニット８を駆動する為の駆動部１６は、本体１の中央にある桟１５の上側に設置されている。この駆動部１６により、フィルタ６がフィルタ清掃ユニット８に対して移動することで、フィルタ６の掃除が行われる。また、桟１５は駆動部１６を備えている為、フィルタ清掃ユニット８がない場合よりも幅広となり、支持部材１４を軸支するだけのスペースを確保できる。フィルタ６は、本体１のフィルタガイド１８に沿って移動するようになっている。
【００１６】
次に、前面パネル２の開閉動作について説明する。図２、図５に示すように、支持部材１４は、桟１５上に、一端を軸支されている。また、前面パネル２を構成する吸込グリル３の背面の中央に、支持部材１４の他端を係止する係止部１３が設けられている。これにより、前面パネル２を上方に回動した後、支持部材１４を上方に回動して、その他端を前面パネル２の係止部１３に係止することで、図２に示すように前面パネル２を開いた状態に安定に保持することが出来る。これにより、使用者はフィルタ６の取り外し等の作業を容易に行うことができる。また、前面パネル２を閉じるときは、支持部材１４の他端の係止部１３による係止を解き、図６に示すように支持部材１４を回動して桟１５上に位置させることで、前面パネル２は閉じられる。
【符号の説明】
【００１７】
１  本体
２  前面パネル
３  吸込グリル
４  オープンパネル
５  表示部
６  フィルタ
７  吹出口
８  フィルタ清掃ユニット
９  吸込口
１１  回動軸部
１２  回動軸受け部
１３  係止部
１４  支持部材
１５  桟
１６  駆動部
１７  フィルタ清掃ユニット取付部
１８  フィルタガイド
１９  凸部
【図１】
2012141077.tif 000003
【図２】
2012141077.tif 000004
【図３】
2012141077.tif 000005
【図４】
2012141077.tif 000006
【図５】
2012141077.tif 000007
【図６】
2012141077.tif 000008
【図７】
2012141077.tif 000009